(57)【特許請求の範囲】
【請求項１】
ドアレールの上を転動するローラから吊り下げられる扉の上部に取り付けられ、扉の開閉に従ってドアレール上のローラ転動面に押し付けられてドアレールのローラ転動面を摺動し、ドアレールのローラ転動面を粗面にする表面粗し部材を備えるエレベータのドアレール表面粗し装置であって、
表面粗し部材は、ドアレールの素材よりも硬質の微粉を含有すること、
を特徴とするドアレール表面粗し装置。
【請求項２】
請求項１に記載のドアレール表面粗し装置であって、表面粗し部材は、アルミナの微粉を含有する弾性体であること、
を特徴とするドアレール表面粗し装置。
【請求項３】
請求項２に記載のドアレール表面粗し装置であって、弾性体は羊毛フェルトであること、
を特徴とするドアレール表面粗し装置。
【請求項４】
請求項１に記載のドアレール表面粗し装置であって、表面粗し部材は、砥石またはやすりであり、
扉の上部に表面粗し部材をドアレール上のローラ転動面に押し付けるように保持する保持部材を備えること、
を特徴とするドアレール表面粗し装置。
【発明の詳細な説明】
【技術分野】
【０００１】
本発明は、エレベータ用のドアレール表面粗し装置の構造に関する。
【背景技術】
【０００２】
エレベータのかご扉あるいは乗場側扉は、かご又は乗場の上部に取り付けられたドアレールにローラを介して吊り下げられ、ローラがドアレールの上を転動することによって扉がドアレールに沿って移動し、扉がスライドして開閉するよう構成されている。このようなエレベータの扉では、スムーズな開閉動作を達成するために、ドアレールを適宜清掃し、かつドアレール上に適量の油を給油する場合が多い。そのため、ドアに取り付け可能であり、ドアの開閉移動の度にドアレールを清掃すると共に給油する清掃給油装置が提案されている（例えば、特許文献１参照）。
【０００３】
また、エレベータの昇降路の中にはかごや錘を垂直方向にガイドするガイドレールが設けられている。このガイドレールの表面に異物が付着するとかごに振動が発生し、乗客に不快感を与えてしまう。このため、研磨剤を含む清掃具でガイドレールの表面を清掃して異物を除去することが提案されている（例えば、特許文献２参照）。また、シースルーエレベータ等では乗客からエレベータのガイドレールが見えることから、エレベータの清潔感を保つために研磨剤を含む移動体でガイドレールの表面を研磨してガイドレールの表面に発生した錆を除去する方法が提案されている（例えば、特許文献３参照）。
【先行技術文献】
【特許文献】
【０００４】
【特許文献１】特開平８−３１９０７８号公報
【特許文献２】特開平１０−１２９９５２号公報
【特許文献３】特開２０１０−１６８１８２号公報
【発明の概要】
【発明が解決しようとする課題】
【０００５】
ところで、エレベータの使用を続けていると、ドアレールのローラ転動面が磨耗により鏡面となってくる。このように表面が鏡面となってくると、ローラ転動面の静摩擦係数が大きくなる為、静電摩擦係数と動摩擦係数の差が大きくなり、エレベータの扉の開閉の際にローラとドアレールの間に微小なすべりが生じ、異音の発生の原因となる場合がある。この異音は、特許文献１に記載された従来技術のようにドアレールの表面への給油では解消することができない場合がある。
【０００６】
本発明は、エレベータの扉開閉の際の異音発生を抑制することを目的とする。
【課題を解決するための手段】
【０００７】
本発明のドアレール表面粗し装置は、ドアレールの上を転動するローラから吊り下げられる扉の上部に取り付けられ、扉の開閉に従ってドアレール上のローラ転動面に押し付けられてドアレールのローラ転動面を摺動し、ドアレールのローラ転動面を粗面にする表面粗し部材を備えるエレベータのドアレール表面粗し装置であって、表面粗し部材は、ドアレールの素材よりも硬質の微粉を含有することを特徴とする。
【０００８】
本発明のドアレール表面粗し装置において、表面粗し部材は、アルミナの微粉を含有する弾性体であること、としても好適であるし、弾性体は羊毛フェルトであること、としても好適である。
【０００９】
本発明のドアレール表面粗し装置において、表面粗し部材は、砥石またはやすりであり、扉の上部に表面粗し部材をドアレール上のローラ転動面に押し付けるように保持する保持部材を備えること、としても好適である。
【発明の効果】
【００１０】
本発明は、エレベータの扉開閉の際の異音発生を抑制することができるという効果を奏する。
【図面の簡単な説明】
【００１１】
【図１】本発明の実施形態におけるドアレール表面粗し装置を搭載したエレベータの扉の構成を示す説明図である。
【図２】本発明の実施形態におけるドアレール表面粗し装置を示す斜視図である。
【図３】本発明の他の実施形態におけるドアレール表面粗し装置を示す説明図である。
【図４】本発明の他の実施形態におけるドアレール表面粗し装置を示す説明図である。
【発明を実施するための形態】
【００１２】
以下、図面を参照しながら本発明の実施形態について説明する。本発明のドアレール表面粗し装置の説明の前に、エレベータの扉とドアレールの構成について説明する。図１、図２に示すように、エレベータ１００のかご又は乗場の扉２１は、その上部にそれぞれかご又は乗場に固定されたドアレール１１から吊り下げられている。扉２１の上部には扉を吊り下げる板状のハンガ２２がボルト２５で取り付けられている。ハンガ２２はドアレール１１の側面を通ってドアレール１１の上側までのびている。そして、ドアレール１１よりも上部のハンガ２２の一方の面にはドアレール１１の上を転動するローラ２３がシャフト２４の回りに回転自在となるように取り付けられている。そして、ローラ２３の中央部分の溝がドアレール１１のローラ転動面１２に接触することによって、扉２１はローラ２３を介してドアレール１１から吊り下げられ、ローラ２３の転動によって横方向にスライドして開閉するよう構成されている。
【００１３】
図１、図２に示すように、ハンガ２２のドアレール１１側にはドアレール表面粗し装置３０が取り付けられている。表面粗し装置３０は、ドアレール１１の素材よりも硬質の微粉を含有する表面粗し部材３１と、表面粗し部材３１をハンガ２２の面に取り付けるホルダ３２とから構成されている。図２に示すように、ホルダ３２は、２つの取り付け用の長穴３３が設けられた取り付け部分３２ａと取り付け部分３２ａからコの字型に伸びて表面粗し部材３１をつかむ把持部分３２ｂとを備えている。表面粗し装置３０はホルダ３２の長穴３３にボルト３４を挿入して固定される。ホルダ３２の上下方向の取り付け位置は、ボルト３４の締め付け位置を調整することによって調整できる。ホルダ３２の位置を調整することによって表面粗し部材３１の下面はドアレール１１のローラ転動面１２に押し付けられるよう取り付けられる。
【００１４】
表面粗し部材３１は、例えば、鉄などの金属のドアレール１１の素材よりも硬質の微粉を担持体の中に含むもので、ドアレール１１のローラ転動面１２の上を擦ることによってローラ転動面１２に微小な傷をつけて、その表面粗さを大きくするものである。より具体的には、微粉は、アルミナあるいは、セラミックやダイヤモンド、砂などでもよい。微粉の大きさは、１０μｍ〜３０μｍ程度であってもよい。
【００１５】
微粉が混入される担持体は、ドアレール１１のローラ転動面１２に押し付けられる際に適度の反発力があり、ローラ転動面１２の形状になじみ、ローラ転動面１２への押し付け力を保持することができるものであればよい。具体的には、羊毛フェルトあるいは樹脂などで構成してもよい。羊毛フェルトは織物としたものでも良いし繊維を圧縮したものでもよい。
【００１６】
以上のように構成されたドアレール表面粗し装置３０の動作について説明する。図２に示すように、ドアレール表面粗し装置３０の表面粗し部材３１はドアレール１１のローラ転動面１２に押し付けられるように取り付けられている。そして、エレベータ１００の扉２１が開閉する際に扉２１のハンガ２２と共にドアレール１１のローラ転動面１２の上を擦りながら移動する。この移動によって、ドアレール１１のローラ転動面１２は表面粗し部材３１の含まれている硬質の微粉によって擦られて、表面に細かな傷がつく。このようにローラ転動面１２に細かな傷をつけると、ローラ転動面１２の表面が粗面となるので、使用につれてローラ転動面１２が鏡面となることが抑制され、ローラ２３が回転する際にドアレール１１のローラ転動面１２の上をすべることが抑制され、異音の発生が抑制される。又、本実施形態では、特許文献１に示された従来技術のような給油が不要となる。
【００１７】
表面粗し部材３１のローラ転動面１２への押し付け度合いは、先に説明したように長穴３３を締め付けるボルト３４の位置を調整することによってもよいし、メンテナンスの際に表面粗し部材３１を下方向に押し付けてホルダ３２の把持部分３２ｂによって表面粗し部材３１がローラ転動面１２に押し付けられるように調整してもよい。
【００１８】
本実施形態のドアレール表面粗し装置３０は、簡便な構成でエレベータの扉開閉の際の異音発生を抑制することができるという効果を奏する。
【００１９】
図３、図４を参照して本発明の他の実施形態について説明する。本実施形態は、ホルダ３２が箱型となっており、その中に表面粗し部材３１をローラ転動面１２に押し付けるバネ３５が取り付けられている。本実施形態の表面粗し部材３１は、先に図１、図２を参照して説明した羊毛フェルトなどのように大きな変形をする弾性体であってもよいが、樹脂などのようにさほど大きな変形をしない弾性体を微粉の担持体とするものであってもよい。また、砥石ややすりであってもよい。ただし、担持体はローラ転動面１２との接触によって次第に削られ、常に表面に微粉が現れているようなものであれば他の材質でもかまわない。また、図４に示すように、表面粗し部材３１のローラ転動面１２への接触面はローラ転動面１２の表面形状に従って湾曲した形状としてもよい。本実施形態は先に述べた実施形態と同様の効果を奏する。
【符号の説明】
【００２０】
１１  ドアレール、１２  ローラ転動面、２１  扉、２２  ハンガ、２３  ローラ、２４  シャフト、２５  ボルト、３０  表面粗し装置、３１  表面粗し部材、３２  ホルダ、３２ａ  取り付け部分、３２ｂ  把持部分、３３  長穴、３４  ボルト、３５  バネ、１００  エレベータ。
【図１】
0005496934.tif 000002
【図２】
0005496934.tif 000003
【図３】
0005496934.tif 000004
【図４】
0005496934.tif 000005